(57)【要約】      （修正有）【課題】細断対象物を保管でき、且つ未使用時のシュレッダーの安全性を確保するとともに汚れを防止することができるシュレッダーカバーを提供する。【解決手段】シュレッダーカバーは、少なくともシュレッダーの細断対象物を投入する投入口を覆い、細断対象物を保管するためのポケットを有する。シュレッダーカバーは、シュレッダーに設けられているシュレッダーを持ち運ぶための取っ手の位置に対応する位置に、取っ手用開口部を備えることが好ましい。また、シュレッダーの電源供給コードを通すための開口部又は底縁から延びるスリットが設けられていることが好ましい。さらに、スリットを閉じるための面テープが設けられていることが好ましい。シュレッダーカバーは、シュレッダーカバーの全体の寸法が、シュレッダーの寸法に実質的に一致する寸法である。【選択図】図２
0003137975.tif 000002
【実用新案登録請求の範囲】
【請求項１】
少なくともシュレッダーの細断対象物を投入する投入口を覆うシュレッダーカバーであって、
細断対象物を保管するためのポケットを有することを特徴とするシュレッダーカバー。
【請求項２】
請求項１に記載のシュレッダーカバーであって、さらに、
シュレッダーに設けられているシュレッダーを持ち運ぶための取っ手の位置に対応する位置に、取っ手用開口部を備えることを特徴とするシュレッダーカバー。
【請求項３】
請求項１又は２に記載のシュレッダーカバーであって、さらに、
シュレッダーの電源供給コードを通すための開口部を備えることを特徴とするシュレッダーカバー。
【請求項４】
請求項１又は２に記載のシュレッダーカバーであって、さらに、
シュレッダーの電源供給コードを通すための、前記シュレッダーカバーの底縁から延びるスリットを備えることを特徴とするシュレッダーカバー。
【請求項５】
請求項４に記載のシュレッダーカバーであって、さらに、
前記スリットを閉じるための面テープを備えることを特徴とするシュレッダーカバー。
【請求項６】
請求項１乃至５のいずれか１項に記載のシュレッダーカバーであって、さらに、
前記シュレッダーカバーの全体の寸法が、シュレッダーの寸法に実質的に一致する寸法であることを特徴とするシュレッダーカバー。
【考案の詳細な説明】
【技術分野】
【０００１】
本考案は、シュレッダーのカバーに関し、特に家庭用のシュレッダーのカバーに関する。
【背景技術】
【０００２】
今日の情報化社会においては、情報の価値が飛躍的に高まっており、個人情報を悪用した犯罪等が増えてきている。また近年、家庭から廃棄されるゴミが分別収集されるようになり、自治体によっては半透明のゴミ袋の使用が義務付けられている。そのため、領収書やクレジットカードの明細書などの個人情報は袋の外から見える可能性があり、個人情報の漏洩防止のためにシュレッダーを設置する家庭が増えてきている。
【考案の開示】
【考案が解決しようとする課題】
【０００３】
一方で、家庭におけるシュレッダーの使用目的は、日常的に送られてくる請求書やクレジットカードの明細書、ダイレクトメール等の処分が主であるので、家庭でのシュレッダーの使用頻度はあまり高くない。従って、シュレッダーは使用されずに置いてある時間の方が圧倒的に長い。
【０００４】
また、レシートなどの細断対象物をその都度細断するのではなく、ある程度細断対象物を保管しておき、例えば週に一度程度、それらをまとめて細断処分するということが行われることもある。そうすると、細断対象物を保管しておく場所が必要になる。
【０００５】
さらに、近年、家庭用のシュレッダーにおいて、子供がシュレッダーにいたずらをして細断機に指を挟まれ怪我をするという事故が報告されている。そこで、未使用時のシュレッダーの安全性を確保することが望まれる。
【０００６】
以上のような問題に鑑み、本考案は、細断対象物を保管でき、且つ未使用時のシュレッダーの安全性を確保するとともにシュレッダーの汚れを防止することができるシュレッダーカバーを提供することを目的としている。
【課題を解決するための手段】
【０００７】
上記の問題点を解決するために、本考案によるシュレッダーカバーは、少なくともシュレッダーの細断対象物を投入する投入口を覆うシュレッダーカバーであって、細断対象物を保管するためのポケットを有することを特徴としている。
【０００８】
本考案の一態様によれば、本考案のシュレッダーカバーは、シュレッダーに設けられているシュレッダーを持ち運ぶための取っ手の位置に対応する位置に、取っ手用開口部を備える。
【０００９】
本考案の一態様によれば、本考案のシュレッダーカバーは、シュレッダーの電源供給コードを通すための開口部を備える。
本考案の一態様によれば、本考案のシュレッダーカバーは、シュレッダーの電源供給コードを通すための、シュレッダーカバーの底縁から延びるスリットを備える。
【００１０】
本考案の一態様によれば、本考案のシュレッダーカバーは、スリットを閉じるための面テープを備える。
本考案の一態様によれば、本考案のシュレッダーカバーは、シュレッダーカバーの全体の寸法が、シュレッダーの寸法に実質的に一致する寸法である。ここで、実質的に一致するとは、シュレッダー本体をシュレッダーカバーで覆った状態で、シュレッダーカバーとシュレッダー本体との間にわずかな遊びを許容する趣旨である。
【考案を実施するための最良の形態】
【００１１】
以下、本考案のシュレッダーカバーの実施形態を説明する。
図１は、本考案によるシュレッダーカバーに覆われるシュレッダー２の外形を示している。シュレッダー２は、略直方体であり、全体に丸みを帯びた形状である。シュレッダー２の上面４には投入口６が設けられている。また、シュレッダー２の上面４には、上面４の下に潜り込むように凹部８が設けられており、この凹部８がシュレッダー２の取っ手を形成している。従って、この取っ手の凹部８に手を挿入し、シュレッダー２を持ち運ぶことができる。シュレッダー２の背面から、家庭用のＡＣ１００Ｖの電源に接続されるコード１０（図３参照）及びプラグ（図示せず）が延びている。シュレッダー２の上面４には、電源投入スイッチ、表示窓などが備えられている。
【００１２】
図２及び図３は、本考案によるシュレッダーカバーの実施形態を示している。図２及び図３は、シュレッダー２をシュレッダーカバー１００で覆った状態を示している。図示されているようにシュレッダーカバー１００は、シュレッダー２の概ね全体を上からすっぽり覆うことができる形状である。すなわち、本実施形態では、シュレッダーカバー１００はシュレッダー２を覆った状態で、底面が開口した丸みを帯びた略直方体の袋形状となる。シュレッダーカバー１００の寸法は、カバー１００が外れにくいように、僅かな余裕を残してシュレッダー２の外形にぴったりと一致する寸法であることが好ましい。シュレッダーカバー１００は、柔軟性のある布地などから形成することができる。なお、シュレッダーカバー１００の作成方法は後述する。シュレッダーカバー１００の上面には、シュレッダー２の凹部８に対応する位置に開口部１０２が設けられている。シュレッダーカバー１００の開口部１０２の開口の大きさは、シュレッダー２の凹部８の開口の大きさと同程度である。従って、カバーをした状態で、シュレッダー２本体の取っ手を利用してシュレッダー２を持ち運ぶことができる。一方で、シュレッダー２の投入口６はカバーされた状態であるので、シュレッダー２の安全性は担保されている。シュレッダー２の電源供給コード１０が接続されている面（本実施形態では背面）に対応するシュレッダーカバー１００の面（図２の背面、図３の正面に相当する）には、電源供給コード１０の接続部に対応する位置付近から底面の底縁１０４まで延びるスリット１０６が設けられている。従って、電源供給コード１０を、このスリット１０６を通してカバー１００の外に出すことができる。また、シュレッダーカバー１００には、底縁１０４付近にスリット１０６を閉じるための、面テープ１０８（図４参照）を有するベルト１１０が２つ並べて設けられている。面テープ１１０は、例えばマジックテープ（登録商標）とすることができる。面テープ１１０でシュレッダーカバー１００のスリット１０６を閉じることができるので、シュレッダーカバー１００をシュレッダー２本体にしっかりとフィットさせることができる。本実施形態によるシュレッダー２は、底面積が高さ方向の中央の断面積に比べて小さくなるような丸みを帯びた形状であるので、ベルト１１０及び面テープ１０８でシュレッダーカバー１００のスリット１０６をしっかりと閉じれば、シュレッダーカバー１００が外れにくくなる。
【００１３】
さらに、シュレッダーカバー１００の側面には、細断対象物を保管するためのポケット１１２が設けられている。本実施形態では、大きいポケット１１２ａが１つ、小さいポケット１１２ｂが２つ設けられている。大きいポケット１１２ａはＡ４サイズの紙などを入れることができる大きさであり、小さいポケット１１２ｂは、小さいレシートなどの紙を入れることができる大きさである。図示した実施形態では、ポケットはシュレッダーカバーの片方の側面にだけ設けられているが、他の実施形態として両方の側面にポケットを設けてもよい。また、シュレッダーカバーの側面でなく前面や背面にポケットを設けてもよい。ポケットの寸法も任意に変更することができる。
【００１４】
次に、シュレッダーカバー１００の作成方法を説明する。図４及び図５は、シュレッダーカバー１００の展開図を示している。図４及び５は、図示された面がシュレッダーカバー１００のおもて面になるように示してある。
【００１５】
シュレッダーカバー１００は、主として４枚の布地（布地Ａ−Ｄ）を縫い合わせて作成される。布地Ａ、Ｃは概ねシュレッダーカバー１００の上面を構成し、布地Ｂ、Ｄは概ねシュレッダーカバー１００の側面、正面、背面を構成する。
【００１６】
まず、図４及び図５に示す形状の４枚の布地Ａ−Ｄを用意し、布地Ｂにマジックテープ（登録商標）などの面テープ１０８のループ面１１４を２つ並べて取り付ける。ループ面１１４は、図４に示すようにシュレッダーカバー１００のスリット１０６の底縁１０４付近に縫い付ける。なお、図中の破線は縫い目を概略的に示している。次に布地Ｄにベルト１１０を２つ並べて縫い付ける。そして、ベルト１００の裏側に面テープ１０８のフック面（図示せず）を取り付ける。
【００１７】
次に、布地Ｄにポケット１１２を縫い付ける。ポケット１１２は布地Ｄのおもて面に、以下のように所望の大きさの布地を縫い付けて作成することができる。Ａ４サイズより一回り大きい布地１１６の上に幾分高さの低い布地１１８をポケットの開口となる１辺を残して３辺を縫い付ける。さらに小さい布地１１８の中央を大きい布地１１６の中央に縫い付けることで、小さい布地１１８を２つのポケットに分割する。そして、大きい布地１１６を、ポケットの開口となる１辺を残して他の３辺を布地Ｄの中央に縫い付ける。図５は、ポケット１１２が縫い付けられた状態の布地Ｄを示している。
【００１８】
次に、４枚の布地Ａ−Ｄを以下のように縫い合わせて袋状にする。まず、布地Ａの図４の一点鎖線で示される縁部ａと、布地Ｂの縁部ａ´を縫い合わせる。このとき、縁部ａのおもて面と縁部ａ´のおもて面とが互いに接するように重ね合わせ、この重なった面を縫い合わせる。従って、縫い代はおもて面からは見えないようになる。同様に、布地Ｃの縁部ｂと布地Ｄの縁部ｂ´とを縫い合わせる。次に、布地Ｃの縁部ｃと縁部ｃ´とを縫い合わせる。このとき、縁部ｃ´は縁部ｃよりも長いので、縁部ｃ´は縁部ｃと重なる部分だけが縫い合わされ、縁部ｃ´の一部はこの段階では縫い合わされない。そして、布地Ｃの縁部ｃ´の縫い合わされていない部分を間に挟むように、布地Ａの縁部ｄおよびｄ´を重ね合わせ、この重なった３枚の布地の縁部を縫い合わせる。ここで、シュレッダー２の取っ手用の開口部１０２が、布地Ａと布地Ｃとの間に形成される。
【００１９】
布地Ｂの縁部ｅ及び縁部ｆを布地Ｄの縁部ｅ´及び縁部ｆ´にそれぞれ縫い合わせる。そして、布地Ｂの縁部ｇ及び縁部ｈを布地Ｄの縁部ｇ´及び縁部ｈ´にそれぞれ縫い合わせる。縁部ｈ及びｈ´は図示のように上面側の一部だけを縫い合せ、底面側は縫い合わせずにスリット１０６を形成する。
【００２０】
以上の手順で、本考案による実施形態のシュレッダーカバー１００を作成することができるが、縫い合わせの手順等は任意に変更可能である。また、シュレッダーカバー１００の開口部１０２や、底縁１０４のような縁部を、折り返して縫い合わせることにより、縁部を補強してもよい（図２及び図３の開口部１０２参照）。
【００２１】
以上のように本考案によるシュレッダーカバーの実施形態を説明してきたが。本考案は上述の実施形態に限られない。シュレッダーカバーの寸法は、適用するシュレッダーの寸法に応じて様々な寸法にすることができる。シュレッダーカバーの取っ手用の開口部の位置、大きさも適用するシュレッダーに応じて任意に変更することができる。さらに、上述の実施形態では、スリット及び面テープを設けることでシュレッダーカバーをシュレッダー本体にフィットさせられるように構成されているが、シュレッダー本体の形状によっては、スリット及び面テープは必ずしも必要ではない。また、シュレッダーの電源供給コードを通すために底縁から延びるスリットを設けているが、スリットではなく開口を設けてもよい。電源供給用コードがシュレッダー本体から取り外し可能であるならば、電源供給用のコードを通すためのスリットや開口は必要ない。また、シュレッダーカバーに設けるポケットの数、位置、大きさも任意である。さらにシュレッダーカバーの素材も布地に限らず任意である。
【００２２】
本考案のシュレッダーカバーによれば、細断対象物を保管でき、且つ未使用時のシュレッダーの安全性を確保するとともにシュレッダーの汚れを防止することができる。
【図面の簡単な説明】
【００２３】
【図１】シュレッダーの外形を示す斜視図である。
【図２】本考案によるシュレッダーカバーの実施形態を示す正面斜視図である。
【図３】図２に示すシュレッダーカバーの背面斜視図である。
【図４】本考案によるシュレッダーカバーの展開図である。
【図５】本考案によるシュレッダーカバーの展開図である。
【符号の説明】
【００２４】
２    シュレッダー
６    投入口
８    凹部
１０    電源供給コード
１００    シュレッダーカバー
１０２    開口部
１０４    底縁
１０６    スリット
１０８    面テープ
１１０    ベルト
１１２    ポケット
【図１】
0003137975.tif 000003
【図２】
0003137975.tif 000004
【図３】
0003137975.tif 000005
【図４】
0003137975.tif 000006
【図５】
0003137975.tif 000007